(57)【要約】【課題】ディスクとプリンタヘッドとの相対的な位置変化を抑制して、レーベル面に所望の印刷を正確に形成できるディスクドライブ装置を提供する。【解決手段】ディスクＤを所定方向へ回転させると共に、前記ディスクの情報記録面に対して情報の記録及び／又は前記情報記憶面に記録された情報を再生するディスクドライブ部ＤＲ−Ｕと、前記ディスクのレーベル面に対してインクを噴射して印刷を行うインクジェット式の印刷部ＰＲ−Ｕとを備えた、ディスクドライブ装置１であって、前記印刷部のプリンタヘッド２１を、前記ディスクドライブ部の振動源３が搭載されている第１の支持部材１０に載置してある。振動が発生したときにプリンタヘッドも同期して振動させることができる。よって、ディスクとプリンタヘッドとの距離を一定に維持できるので、常に高品位な印刷を行うことができる。【選択図】    図４
2007207321.tif 000002
【特許請求の範囲】
【請求項１】
ディスクを所定方向へ回転させると共に、前記ディスクの情報記録面に対して情報の記録及び／又は前記情報記憶面に記録された情報を再生するディスクドライブ部と、
前記ディスクのレーベル面に対してインクを噴射して印刷を行うインクジェット式の印刷部とを備えた、ディスクドライブ装置であって、
前記印刷部のプリンタヘッドを、前記ディスクドライブ部の振動源が搭載されている第１の支持部材に載置した、ことを特徴とするディスクドライブ装置。
【請求項２】
前記プリンタヘッドを第２の支持部材に搭載し、該第２の支持部材を前記第１の支持部材に接続してある、ことを特徴とする請求項１に記載のディスクドライブ装置。
【請求項３】
前記振動源は、前記ディスクを回転自在に保持するターンテーブル及び前記ターンテーブルを所定方向へ回転させるスピンドルモータを少なくとも含む、ことを特徴とする請求項１又は２に記載のディスクドライブ装置。
【発明の詳細な説明】
【技術分野】
【０００１】
本発明は、ディスクに印刷する機能を備えたディスクドライブ装置に関する。より詳細には、ＣＤ、ＤＶＤ等のディスクのレーベル面に所望の文字や絵などの印刷を行う印刷機能が付加されているディスクドライブ装置に関する。
【背景技術】
【０００２】
近年、ＣＤ、ＤＶＤなどにディスク状の記録媒体（以下、単にディスクと称する）が広く利用されるようになっており、これらのディスクを駆動するディスクドライブ装置についても種々の形態のものが提供されるようになっている。ディスクドライブ装置は、予め記録されている情報を再生するだけの再生専用型の装置から、ユーザが保存しておきたい情報をディスクに任意に記録（書込み）できる記録再生型の装置へと需要が移行している状況にある。
【０００３】
ところで、一般に記録可能なブランク状態にあるディスクは同様な外観であり、ユーザが記録した情報の内容を確認することはできない。そこで、ユーザはディスクのレーベル面（情報を記録する情報記録面と反対の面）に、自己が記録した情報内容をメモ書きする場合などが多かった。しかし、記録ディスクを作成するたびに手書きするのは面倒であり、またディスク表面の文字が手書きであると外観上で見劣りする等の問題もある。
【０００４】
そこで、最近、ディスクのレーベル面に印刷する機能を備えたディスクドライブ装置が提供されるようになっている。このようなディスクドライブ装置であれば、ディスクに情報を記録できると共に、レーベル面にはその記録内容を確認できる文字等を印刷できるので大変に便利である。例えば、従来から既に提案されているディスクドライブ装置には、ディスクを回転させながらレーベル面に対向して配置したインクジェットノズルを有するプリンタヘッドを半径方向へ移動させながらインク粒子を噴射してレーベル印刷を行うものがある（特開平５−２３８００５号公報等）。
【０００５】
しかし、上記ディスクドライブ装置のようにプリンタヘッドを半径方向に移動させると装置が大型化してしまう。そこで、特許文献１は、ディスクのレーベル面に対してプリンタヘッドを固定した印刷装置を備えるディスクドライブ装置を提案する。このディスクドライブ装置は構成を簡略化してレーベル面に円環文字を形成できる。
【０００６】
【特許文献１】特開平６−３１９０６号公報
【発明の開示】
【発明が解決しようとする課題】
【０００７】
上記特許文献１のディスクドライブ装置では、ハウジングなどベース構造体から立設した支柱にプリンタヘッドを固定し、このプリンタヘッドをレーベル面に対向させている。ところで、ディスクが搭載されるターンテーブル、このターンテーブルを回転させるスピンドルモータや、ディスクに対して光学系を駆動して情報の記録再生を行う光ピックアップ装置はメカシャーシなどの支持部材に搭載されているのが一般的である。そして、メカシャーシはダンパなどの振動吸収体を介在させてベース構造体に組付けられている。このようにダンパを介して、メカシャーシをベース構造体に組付けるのは、メカシャーシに搭載したスピンドルモータやターンテーブルなどが振動源となるので周辺部へ振動の伝播を抑制する防振構造とするためである。
【０００８】
しかしながら、上記のような防振構造を採用しても、ベース構造体に対するメカシャーシの相対的な振動（微小な揺れ）は完全に除去することはできない。よって、特許文献１のディスクドライブ装置のようにプリンタヘッドがベース構造体を基準に固定されていると、振動が発生したときにレーベル面とプリンタヘッドとの距離が変動してしまう。ディスクのレーベル面に印刷を行う際に、上記距離が変化してしまうと印刷品位が低下する原因となって装置の信頼性が低下してしまう。
【０００９】
本発明は、上述した従来の課題を解決するためになされたもので、ディスクとプリンタヘッドとの相対的な位置変化を抑制して、レーベル面に所望の印刷を正確に形成できるディスクドライブ装置を提供することを目的とする。
【課題を解決するための手段】
【００１０】
上記目的は、ディスクを所定方向へ回転させると共に、前記ディスクの情報記録面に対して情報の記録及び／又は前記情報記憶面に記録された情報を再生するディスクドライブ部と、前記ディスクのレーベル面に対してインクを噴射して印刷を行うインクジェット式の印刷部とを備えた、ディスクドライブ装置であって、前記印刷部のプリンタヘッドを、前記ディスクドライブ部の振動源が搭載されている第１の支持部材に載置したことを特徴とするディスクドライブ装置によって達成される。
【００１１】
本発明によると、ディスクドライブ部の振動源が搭載されている第１の支持部材に印刷部のプリンタヘッドが載置されているので、振動が発生したときにはプリンタヘッドも同期して振動することになる。よって、このディスクドライブ装置は、ディスクとプリンタヘッドとの距離を実質的に一定に維持できるので、レーベル面に常に高品位な印刷を形成できる。
【００１２】
前記プリンタヘッドを第２の支持部材に搭載し、該第２の支持部材を前記第１の支持部材に接続する構造とすれば、プリンタヘッドを第１の支持部材に搭載したと同様の構造にすることができる。
【００１３】
また、前記振動源は、前記ディスクを回転自在に保持するターンテーブル及び前記ターンテーブルを所定方向へ回転させるスピンドルモータを少なくとも含むこととするこができる。
【発明の効果】
【００１４】
本発明によると、ディスクとプリンタヘッドとの相対的な位置変化を抑制して、レーベル面に所望の印刷を正確に形成できるディスクドライブ装置を提供できる。
【発明を実施するための最良の形態】
【００１５】
以下、図面を参照して本発明の一実施形態に係るディスクドライブ装置について説明する。このディスクドライブ装置は、ディスクに情報を記録すると共にディスクに記録されている情報を再生するという本来の機能と、ディスクのレーベル面にタイトル、作成日、作成者、これらに関連した画像などをレーベル印刷する機能とを兼ね備えた複合型の装置である。図１は、実施例のディスクドライブ装置１の全体を示した斜視図である。さらに、図２はディスクドライブ装置１のディスクドライブ部となるディスクドライブユニットＤＲ−Ｕを取出して示した斜視図である。また、図３はディスクドライブ装置１の印刷部となる印刷ユニットＰＲ−Ｕを取出して示した斜視図である。
【００１６】
図１で示すように、ディスクドライブ装置１はディスクドライブユニットＤＲ−Ｕ上に印刷ユニットＰＲ−Ｕを組付けた構造となっており、ディスクドライブユニットＤＲ−Ｕ側にディスクＤをセットして回転させながら情報の記録或いは再生を行う。一方、印刷ユニットＰＲ−ＵはディスＤの上面側のレーベル面に印刷を行う。
【００１７】
先ず、図２を参照して、ディスクドライブユニットＤＲ−Ｕ側の構成を説明する。ディスクドライブユニットＤＲ−Ｕは、ベース構造体となるケース（外装）２内に収納されている。ディスクドライブユニットＤＲ−Ｕは、スピンドルモータ３や光ピックアップ装置４を備えている。スピンドルモータ３は、ディスクＤが載置されるターンテーブル５を所定方向へ回転させる。光ピックアップ装置４は、ディスクＤに記録する情報に対応したレーザ光やディスクＤに記録されている情報を再生するためのレーザ光を出射する。この光ピックアップ装置４は、ガイドシャフト６、７に沿ってディスク半径方向へ移動可能に形成されている。
【００１８】
上述したスピンドルモータ３、光ピックアップ装置４等の構成部品は、第１の支持部材となるメカシャーシ１０上に搭載されている。スピンドルモータ３を駆動してディスクＤを回転させると振動が発生する。この振動は、ディスクＤの偏芯成分やディスクＤ周辺の気流の変化、さらにはスピンドルモータ３自身の振動などが含まれる。振動が周辺に伝播すると騒音の発生原因になると共に、光ピックアップ装置４によって情報の記録再生を行う際にエラー発生の原因となる。また、光ピックアップ装置の光学系を駆動したときには、光ピックアップ装置４自身が振動源となる場合がある。
【００１９】
そこで、スピンドルモータ３と共に光ピックアップ装置４をメカシャーシ１０に搭載してある。更にこのメカシャーシ１０は振動を吸収するダンパ１１を介してベース構造となるケース２に組付けることにより防振構造としている。
【００２０】
更に、図３を参照して、ディスクドライブユニットＤＲ−Ｕの上側に組付けされる印刷ユニットＰＲ−Ｕについて説明する。印刷ユニットＰＲ−Ｕは、第２の支持部材となる支持フレーム２０にディスクのレーベル面に印刷を行うための構成が組付けられている。支持フレーム２０には矩形の切欠部２０ＣＲが設けられている。この切欠部２０ＣＲ内にプリンタヘッド２１が嵌め込まれている。このプリンタヘッド２１の下面には、インクを噴射する図示しないノズルが配備されている。このプリンタヘッド２１は、アクチュエータ２２によってディスク半径方向ＲＤで往復動するように設定されている。よって、プリンタヘッド２１をディスク半径方向に移動させ、レーベル面に所望の文字や画像を形成することができる。
【００２１】
なお、本実施例では支持フレーム２０に、図１で示したターンテーブル５上にセットしたディスクＤを上から押えるクランパ２３が設けられている。ターンテーブル５上にディスクＤがセットされた後に、図示しない公知の機構によりクランパ２３が下方へ移動してディスクＤに接近するように構成されている。クランパ２３とターンテーブル５とは、例えばスチールと磁石のように磁気的に結合する材料で形成されている。クランパ２３がターンテーブル５に接近したときに磁気的に吸着するので、これらの間にディスクＤが所定圧をもって挟持される。よって、ターンテーブル５がスピンドルモータ３により回転されたときに、ディスクＤがターンテーブル５から離脱することなく回転する。なお、クランパ２３は不図示の構造によって回動可能に支持されており、ターンテーブル５の回転に従動する。
【００２２】
上記のように印刷ユニットＰＲ−Ｕは、支持フレーム２０によりプリンタヘッド２１が移動自在に支持されている。そして、この支持フレーム２０は両側に一対の接続用の脚部２５、２６が形成されている。それぞれの脚部２５、２６の下端部はＬ字に折り曲げられ、ネジ止め用の開口が設けられている。なお、図３では、作図上の都合から脚部２５の下端２５ＢＥと開口２５ＨＬのみを図示してある。上記脚部２５、２６はディスクドライブユニットＤＲ−Ｕ側のメカシャーシ１０に接続するための構造である。支持フレーム２０の脚部２５、２６はメカシャーシ１０上に固定するために形成したもので、開口２５ＨＬにネジを挿入してネジ止めすることにより支持フレーム２０がメカシャーシ１０に固定される。
【００２３】
図４は、図１のＡ−Ａ矢視図である。この図４で、支持フレーム２０がネジ２７、２８によりメカシャーシ１０に固定された状態を確認できる。符号ＰＴで示すように、ネジ２７，２８により支持フレーム２０の脚部２５、２６がメカシャーシ１０上に固定されている。
【００２４】
以上の構造を備えたディスクドライブ装置１は、支持フレーム２０の脚部２５、２６がメカシャーシ１０に接続されているので、実質的にプリンタヘッド２１がメカシャーシ１０に搭載された状態を形成できる。よって、メカシャーシ１０が振動したときにはプリンタヘッド２１も同期して振動することになる。メカシャーシ１０上にはディスクＤが搭載されているので、プリンタヘッド２１とディスクＤのレーベル面との距離を常に一定に保つことができる。従って、このディスクドライブ装置１は、常に安定してレーベル面に鮮明な印刷を形成できる。このようなディスクドライブ装置１は信頼性の高い装置として提供できる。
【００２５】
上記実施例では、印刷ユニットＰＲ−Ｕ側の支持フレーム２０に接続用の脚部を設けた場合を例示しているが、ディスクドライブユニットＤＲ−Ｕ側のメカシャーシ１０から接続用の柱部を設けた構造としてもよい。更に、第１、第２の支持部材を接続する構造とせず、メカシャーシを予め多段に形成してディスクドライブユニットＤＲ−Ｕのスピンドルモータ等の振動源と印刷ユニットＰＲ−Ｕのプリンタヘッド２１とを一緒に搭載するようにしてもよい。
【００２６】
本実施例では、前記ターンテーブル５、スピンドルモータ３、及び光ピックアップ装置４の全てをメカシャーシ１０に搭載した場合を一例として示したが、この様な構造に限るものではない。例えば設計したディスクドライブ装置で特にスピンドルモータとターンテーブルの振動が問題となる場合には、メカシャーシにこれらをだけを搭載してもよい。
【００２７】
また、上記印刷ユニットＰＲ−Ｕはアクチュエータ２２によってプリンタヘッド２１を半径方向に駆動可能としているが、アクチュエータ２２を設けずプリンタヘッド２１を支持フレーム２０に固定してもよい。この場合には構成を簡素化できるので、ディスクドライブ装置１の小型化を図ることができる。
【００２８】
以上本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００２９】
【図１】実施例のディスクドライブ装置の全体を示した斜視図である。
【図２】ディスクドライブ装置のディスクドライブユニットＤＲ−Ｕを取出して示した斜視図である。
【図３】ディスクドライブ装置の印刷ユニットＰＲ−Ｕを取出して示した斜視図である。
【図４】図１のＡ−Ａ矢視図である。
【符号の説明】
【００３０】
１                  ディスクドライブ装置
３                  スピンドルモータ
４                  光ピックアップ装置
５                  ターンテーブル
１０                メカシャーシ（第１の支持部材）
１１                ダンパ
２０                支持フレーム（第２の支持部材）
２１                プリンタヘッド
２２                アクチュエータ
２５、２６          脚部
ＤＲ−Ｕ            ディスクドライブユニット
ＰＲ−Ｕ            印刷ユニット
Ｄ                  ディスク
【図１】
2007207321.tif 000003
【図２】
2007207321.tif 000004
【図３】
2007207321.tif 000005
【図４】
2007207321.tif 000006